(57)【要約】【課題】  高い防水性が要求される用途に適応したＩＣタグラベルと、そのＩＣタグラベルの製造方法を提供する。【解決手段】  裏面に第１のホットメルト接着剤層を有する第１の透明プラスチックフィルムと、表面に第２のホットメルト接着剤層を有する第２の透明プラスチックフィルムとの間に、ベースフィルム上にＩＣチップとアンテナが接続されたインレットを挟み、第１と第２のホットメルト接着剤層の接着剤を軟化、硬化させ第１の透明プラスチックフィルムとインレットと第２の透明プラスチックフィルムとを接着一体化させ、前記接着一体化させた構造の上側に、紙又はプラスチックフィルムからなる上側シートを粘着させ、前記接着一体化させた構造の下側に、剥離用シートを剥離可能に粘着させ、ＩＣチップとアンテナが接続されたインレットを有する所定の領域を、剥離用シートを残し型抜きし、外側部分を剥離用シート上から剥離させて取り除く処理を行う。【選択図】        図2
2008234245.tif 000002
【特許請求の範囲】
【請求項１】
紙又はプラスチックフィルムからなる上側シートと、粘着剤層と、透明プラスチックフィルムと、第１のホットメルト接着剤層と、ベースフィルム上にＩＣチップとアンテナとが接続されたインレットと、第２のホットメルト接着剤層と、透明プラスチックフィルムと、粘着剤層と、剥離用シートとが順次積層されていることを特徴とするＩＣタグラベル。
【請求項２】
前記剥離用シートが帯状の連続シートからなり、前記剥離用シート上に非接触ＩＣタグラベルを構成する部分が、等間隔で剥離可能に複数設けられていることを特徴とする請求項１記載のＩＣタグラベル。
【請求項３】
前記ホットメルト接着剤層の接着剤が、ポリウレタン又はエチレン酢酸ビニル共重合物であることを特徴とする請求項１記載のＩＣタグラベル。
【請求項４】
裏面に第１のホットメルト接着剤層を有する第１の透明プラスチックフィルムと、表面に第２のホットメルト接着剤層を有する第２の透明プラスチックフィルムとの間に、ベースフィルム上にＩＣチップとアンテナが接続されたインレットを挟み、第１のホットメルト接着剤層と第２のホットメルト接着剤層の接着剤を軟化させた後、硬化させて第１の透明プラスチックフィルムとインレットと第２の透明プラスチックフィルムとを接着一体化させるステップと、その後、前記接着一体化させた構造の上側に、紙又はプラスチックフィルムからなる上側シートを粘着させ、更に、前記接着一体化させた構造の下側に、剥離用シートを剥離可能に粘着させるステップと、その後、ＩＣチップとアンテナが接続されたインレットを有する所定の領域を、剥離用シートだけを残して型抜きするステップと、前記型抜きされた外側の部分を剥離用シート上から剥離させて取り除く処理を行うステップとからなることを特徴とするＩＣタグラベルの製造方法。
【請求項５】
前記非接触ＩＣタグラベルの前記第１の透明プラスチックフィルム上に印字するステップと、印字された前記第１の透明プラスチックフィルム上に、透明プラスチックフィルムを粘着剤で貼付するステップを有することを特徴とする請求項４記載のＩＣタグラベルの製造方法。
【発明の詳細な説明】
【技術分野】
【０００１】
本発明は、プラスチックフィルム上にＩＣチップとアンテナが接続されたインレットを有するＩＣタグラベル及びＩＣタグラベルの製造方法に関する。
【背景技術】
【０００２】
プラスチックフィルム上にＩＣチップとアンテナが接続されたインレットを有するＩＣタグラベルは、情報管理を行う物品に貼付させた後に、リーダライタを介して所望の情報の書き込みをして記憶させ、また必要に応じて、記憶されている情報の読み取りを繰り返して行えることから、運送や流通、販売管理、工場工程管理、商品の配送や荷物の取り扱いなどの広い分野で利用できるものである。
また、ＩＣタグラベルの利用用途が広がるにつれて、屋外に置かれる物品に貼付させるＩＣタグラベルや、運送中などの雨に濡れる可能性が高い物品に貼付するためのＩＣタグラベルも求められている。
【０００３】
これらのＩＣタグラベルやＩＣタグラベルの製造方法の先行技術としては、特許文献１、特許文献２などがある。
しかしながら、上記の先行技術のＩＣタグラベルでは、高い防水性を有していないために、雨に濡れた場合に、プラスチックフィルム上のＩＣチップに雨水が侵入してＩＣチップに害を及ぼすことも考えられることから、より高い防水性を有するＩＣタグラベルが求められているという問題がある。
【０００４】
【特許文献１】特開２００７−２６３０２号公報          特開２００６−３０１９００号公報
【発明の開示】
【発明が解決しようとする課題】
【０００５】
そこで、本発明は、屋外に置かれる物品に貼付させるＩＣタグラベルや、運送中などの雨に濡れる可能性が高い物品に貼付するためのＩＣタグラベルのように、高い防水性が要求される用途に適応したＩＣタグラベルと、そのＩＣタグラベルの製造方法を提供する。
【課題を解決するための手段】
【０００６】
本発明のＩＣタグラベルは、紙又はプラスチックフィルムからなる上側シートと、粘着剤層と、透明プラスチックフィルムと、第１のホットメルト接着剤層と、ベースフィルム上にＩＣチップとアンテナとが接続されたインレットと、第２のホットメルト接着剤層と、透明プラスチックフィルムと、粘着剤層と、剥離用シートとが順次積層されていることを特徴とする。
【０００７】
また、本発明のＩＣタグラベルは、前記剥離用シートが帯状の連続シートからなり、前記剥離用シート上に非接触ＩＣタグラベルを構成する部分が、等間隔で剥離可能に複数設けられていることを特徴とする。
【０００８】
更に、本発明のＩＣタグラベルは、前記ホットメルト接着剤層の接着剤が、ポリウレタン又はエチレン酢酸ビニル共重合物であることを特徴とする。
【０００９】
次に、本発明のＩＣタグラベルの製造方法は、裏面に第１のホットメルト接着剤層を有する第１の透明プラスチックフィルムと、表面に第２のホットメルト接着剤層を有する第２の透明プラスチックフィルムとの間に、ベースフィルム上にＩＣチップとアンテナが接続されたインレットを挟み、第１のホットメルト接着剤層と第２のホットメルト接着剤層の接着剤を軟化させた後、硬化させて第１の透明プラスチックフィルムとインレットと第２の透明プラスチックフィルムとを接着一体化させるステップと、その後、前記接着一体化させた構造の上側に、紙又はプラスチックフィルムからなる上側シートを粘着させ、更に、前記接着一体化させた構造の下側に、剥離用シートを剥離可能に粘着させるステップと、その後、ＩＣチップとアンテナが接続されたインレットを有する所定の領域を、剥離用シートだけを残して型抜きするステップと、前記型抜きされた外側の部分を剥離用シート上から剥離させて取り除く処理を行うステップとからなることを特徴とする。
【００１０】
また、本発明のＩＣタグラベルの製造方法は、前記非接触ＩＣタグラベルの前記第１の透明プラスチックフィルム上に印字するステップと、印字された前記第１の透明プラスチックフィルム上に、透明プラスチックフィルムを粘着剤で貼付するステップを有することを特徴とする。
【発明の効果】
【００１１】
本発明の非接触ＩＣタグラベルは、プラスチックフィルム上にＩＣチップとアンテナとが接続されたインレットが、第１のホットメルト接着剤層と第２のホットメルト接着剤層を介して、２枚の透明プラスチックフィルムに挟まれた構造を有しているので、外部からＩＣチップに水分が浸入することを防止することができるという効果がある。
【００１２】
また、本発明のＩＣタグラベルの製造方法は、裏面に第１のホットメルト接着剤層を有する第１の透明プラスチックフィルムと、表面に第２のホットメルト接着剤層を有する第２の透明プラスチックフィルムとの間に、プラスチックフィルム上にＩＣチップとアンテナが接続されたインレットを挟み、第１のホットメルト接着剤層と第２のホットメルト接着剤層の接着剤を軟化させた後、硬化させて第１の透明プラスチックフィルムとインレットと第２の透明プラスチックフィルムとを接着一体化させる工程を有しているので、外部からＩＣチップに水分が浸入することを防止することができるＩＣタグラベルを製造できるという効果がある。
【００１３】
更に、本発明のＩＣタグラベルの製造方法は、印字された第１の透明プラスチックフィルム上に、透明プラスチックフィルムを粘着剤で貼付するので、印字部分も雨水から守ることができるという効果がある。
【発明を実施するための最良の形態】
【００１４】
以下、本発明の実施形態に係るＩＣタグラベル及びＩＣタグラベルの製造方法を、図面に基づいて詳細に説明する。
図１には、実施形態に係るＩＣタグラベルであって、帯状の剥離用シート上に複数のＩＣタグラベルが、等間隔で連続して設けられた状態を示す平面図が示され、また、図２には、実施形態に係るＩＣタグラベルの断面図が示されている。
実施形態に係るＩＣタグラベル１は、紙又はプラスチックフィルムからなる上側シート３と、粘着剤層４と、透明プラスチックフィルム５と、第１のホットメルト接着剤層６と、ベースフィルム７上にＩＣチップ１１とアンテナ１２とが接続されたインレットと、第２のホットメルト接着剤層８と、透明プラスチックフィルム９と、粘着剤層１０とが、帯状の剥離用シート２上に順次積層された構成を有している。
【００１５】
尚、図２においては、第１のホットメルト接着剤層６と、ベースフィルム７及びアンテナ１２とが離れている状態に示されているが、第１のホットメルト接着剤層６の接着剤が軟化し、その後に硬化されて接着状態となっているので、第１のホットメルト接着剤層６により、透明プラスチックフィルム５がベースフィルム７及びアンテナ１２と接着一体化された構造となっている。
つまり、透明プラスチックフィルム５とベースフィルム７の間は、第１のホットメルト接着剤層６によりＩＣチップ１１とアンテナ１２を密閉状態で保護している。
【００１６】
剥離用シート２は、透明プラスチックフィルム９の裏面に形成されている粘着剤層１０により、剥離可能に粘着されているので、ＩＣタグラベル１を剥離用シート２上から剥離させた後に、粘着剤層１０により貼付させたい所望の物品に押し付けることで、ＩＣタグラベル１をどこにでも貼付させることができるように構成されている。
【００１７】
ＩＣチップ１１とアンテナ１２とが接続されたインレット１３は、図３に示すように、ベースフィルム７上にアンテナコイル１２を形成し、アンテナコイル１２の両端部１２ａ，１２ｂにＩＣチップ１１が装着されている。
そして、外側に位置するアンテナコイル１２の端部が、ベースフィルム７の裏面に設けられた導通部材１４と接続され、更に導通部材１４の他方の端部が、ＩＣチップ１１に接続するコイルと接続されている。
【００１８】
また、第１のホットメルト接着剤層６と第２のホットメルト接着剤層８に使用されている接着剤は、例えばポリウレタン又はエチレン酢酸ビニル共重合物が使用される。
第１のホットメルト接着剤層６と第２のホットメルト接着剤層８は、加熱することで接着剤が軟化し、その後、硬化することで接着状態となり、接着状態となった場合には水分が浸入できない状態を維持することができるので、インレット１３上に第１のホットメルト接着剤層６で透明プラスチックフィルム５が接着された場合には、アンテナコイル１２やＩＣチップ１１を防水する効果がある。
【００１９】
次に、本発明の実施形態に係るＩＣタグラベルの製造方法について、図４及び図５に基づき説明する。
まず、図４（ａ）に示すように、裏面に第１のホットメルト接着剤層を有する帯状の第１の透明プラスチックフィルムと、表面に第２のホットメルト接着剤層を有する帯状の第２の透明プラスチックフィルムとの間に、ベースフィルム上にＩＣチップとアンテナが接続されたインレットを挟み込む。
そして、図４（ｂ）に示すように、第１のホットメルト接着剤層と第２のホットメルト接着剤層の接着剤を軟化させた後、硬化させて帯状の第１の透明プラスチックフィルムとインレットと帯状の第２の透明プラスチックフィルムとを接着一体化させる。
【００２０】
次に、図４（ｃ）に示すように、インレット１３の外周部分を型抜き刃２０を用いて、剥離用シート２だけを残して、他の部分を所望のサイズで型抜き加工する。
そして、図４（ｄ）に示すように、型抜き刃２０で型抜きした外側の部分を取り除き、剥離用シート２上に所定形状のＩＣタグラベルを、剥離用シート２から剥離可能に形成させる。
【００２１】
尚、図４においては、１つのインレット１３からＩＣタグラベルを製造する状態が示されているが、複数のインレット１３を等間隔で並べて、連続的に加工することで、帯状の剥離用シート２上に短時間で大量のＩＣタグラベルを形成させて製造することができる。
【００２２】
次に、図５には、非接触ＩＣタグラベルに対して、印字処理する場合の処理手順が示されている。
まず、図５（ａ）に示すように、帯状の剥離用シート２上に剥離可能に貼付されている非接触ＩＣタグラベルの上側シート３の上面にプリンタで所望の印字処理を行い、印字１５を表示する。
【００２３】
その後に、図５（ｂ）に示すように、印字された上側シート３の上側に、透明プラスチックフィルム１６を粘着剤１７で貼付して、図５（ｃ）に示すように、印字面を透明プラスチックフィルム１６で保護した非接触ＩＣタグラベルを作成する。
【図面の簡単な説明】
【００２４】
【図１】本発明の実施形態に係るＩＣタグラベルであって、帯状の剥離用シート上に複数のＩＣタグラベルが、等間隔で連続して設けられた状態を示す平面図である。
【図２】本発明の実施形態に係るＩＣタグラベルの断面図である。
【図３】本発明の実施形態に係るＩＣタグラベルのインレットの構成を示す図である。
【図４】本発明の実施形態に係るＩＣタグラベルの製造方法を示す図である。
【図５】本発明の実施形態に係るＩＣタグラベルの製造方法を示す図である。
【符号の説明】
【００２５】
１  ＩＣタグラベル
２  剥離用シート
３  上側シート
４  粘着剤層
５，９  透明プラスチックフィルム
６  第１のホットメルト接着剤層
７  ベースフィルム
８  第２のホットメルト接着剤層
１０  粘着剤層
１１  ＩＣチップ
１２  アンテナ
１２ａ，１２ｂ  アンテナコイルの両端部
１３  インレット
１４  導通部材
２０  型抜き刃
【図１】
2008234245.tif 000003
【図２】
2008234245.tif 000004
【図３】
2008234245.tif 000005
【図４】
2008234245.tif 000006
【図５】
2008234245.tif 000007